(57)【要約】      （修正有）【課題】容器内の液体を複数段にして撹拌でき、従って、撹拌効率の優れた撹拌機用撹拌棒を提供する。【解決手段】回動軸１の中間部周側に、第一平坦面８ａと該第一平坦面８ａに対して角度を持って連続する第二平坦面８ｂとから成る、一対の羽根係合部８，８を相対設する。該羽根係合部８の、前記第一平坦面８ａの上部に、それぞれ平坦状の基部部片３ｂと先部側部片３ａのねじれ角度が前記第一、第二の平坦面８ａ，８ｂが成す角度に一致する、長形板より成るプロペラ状の中間部側羽根板３を、前記基部部片３ｂにおいて枢軸９で揺動自在に枢着する。そして、該枢軸を中心にして揺動させて前記回動軸１に沿わせて配したときの前記中間部側羽根板３の直上には、各中間部側羽根板３の基端縁又は長手方向に沿う一側縁が下面に接して前記枢軸９を中心とする一方向の揺動を規制し、他方向の揺動を一定範囲に制限する鍔片１０を設ける。【選択図】図２
0003166999.tif 000002
【実用新案登録請求の範囲】
【請求項１】
エアモータ等の駆動源に連けいした丸棒状の回動軸の先端部に基部において揺動自在に枢着して前記回動軸に対して起伏する一対の撹拌用羽根板を揺動自在に設けた撹拌機用撹拌棒であって、前記回動軸の中間部周側に、中間部側羽根板を、前記基部側部片において枢軸で回動自在に枢着し、該回動軸をに対して起伏する、一対の中間部側羽根板を揺動自在に設けた、撹拌機用撹拌棒。
【請求項２】
エアモータ等の駆動源に連けいした丸棒状の回動軸の先端部に基部において揺動自在に枢着して前記回動軸に対して起伏する一対の撹拌用羽根板を揺動自在に設けた撹拌機用撹拌棒であって、前記回動軸の中間部周側に、第一平坦面と該第一平坦面に対して角度を持って連続する第二平坦面とから成る、一対の羽根係合部を相対設し、該羽根係合部の、前記第一平坦面の上部に、それぞれ平坦状の基部側部片と先端部側部片のねじれ角度が前記第一、第二の平坦面が成す角度に一致する、長形板より成るプロペラ状の中間部側羽根板を、前記基部側部片において枢軸で揺動自在に枢着し、該枢軸を中心にして揺動させて前記回動軸に沿わせて配したときの前記中間部側羽根板の直上には、各中間部側羽根板の基端縁又は長手方向に沿う一側縁が下面に接して前記枢軸を中心とする一方向の揺動を規制し、他方向の揺動を一定範囲に制限する鍔片を設けた、撹拌機用撹拌棒。
【請求項３】
鍔片を前記回動軸の外側に嵌めたリング体で構成し、該リング体をねじで回動軸に固定した、請求項２記載の撹拌機用撹拌棒。
【考案の詳細な説明】
【技術分野】
【０００１】
本考案は、例えば、容器（例えば、ドラム缶）内の液体を均一な状態にして取り出すために、容器内の液体を撹拌するために用いる撹拌機用撹拌棒に関するものである。
【背景技術】
【０００２】
撹拌機用の撹拌棒として、駆動源であるモータに連けいした丸棒状の回動軸の先端に、不使用時には回動軸に沿わせて縦方向に配し、使用時（作動時）には前記回動軸に対してほぼ直交する横方向自在に方向を変えられる一対の、プロペラ状の羽根板を相対して取付けた構造のものが知られている（例えば、特許文献１）。
【先行技術文献】
【特許文献】
【０００３】
【特許文献１】実開昭６３−３２６３２号公報
【考案の概要】
【考案が解決しようとする課題】
【０００４】
前記従来構造のものは、羽根板の基部を蝶番を介して回動軸の先端に取付けた構成を採るため、不使用時には、羽根板は自重で縦方向に、つまり、下方に垂れ下がった形態と（回動軸の長手方向に沿う方向に）成すことができ、この形態を利用して、口経の狭い取出口（液体の注、排出入口）を備えたドラム缶などの容器内にも、該取出口を通じて羽根板を装入し、回動軸の回動から生じる遠心力を利用して縦方向から横方向へと羽根板を変位させて（回動軸に倒伏状態から起立させて）内容物である液体の撹拌ができる利点を備えたものである。
【０００５】
しかしながら、前記従来例は、回動軸の先端にだけしか羽根板を備えていないので、底の深い容器内の内容物の撹拌には、該羽根板を上下方向に移動させるとか、移動させないにしても、その分撹拌時間を必要とする不便さがあり、その改善が望まれていた。
【０００６】
因みに、回動軸に上下複数段に、羽根板を設ければ前記の改善はできるが、前記従来例は、羽根板を蝶番で取付けるようにしているため、羽根板を回動軸の、狭い下面に取付けるにも、実用的でなく、まして、丸棒状の回動軸の中間部の周側に蝶番で取付けることは現実的な考えでもない。
【０００７】
本考案は、前記従来例の不便さを改善し、しかも、従来例と同様に羽根板の方向を変えて、狭い空間内を通すことのできる撹拌機用撹拌棒を提供することを目的として案出したものである。
【課題を解決するための手段】
【０００８】
エアモータ等の駆動源に連けいして回動する丸棒状の回動軸の先端部に、基部において枢着して前記回動軸に対して起伏する一対の撹拌用羽根板を揺動自在に設けた撹拌機用撹拌棒であって、前記回動軸の中間部周側に、第一平坦面と該第一平坦面に対して角度を持って連続する第二平坦面とから成る、一対の羽根係合部を相対設し、該羽根係合部の、前記第一平坦面の上部に、それぞれ平坦状の、基部側部片と先端部側部片のねじれ角度が前記第一、第二の平坦面が成す角度に一致する、長形板より成るプロペラ状の中間部側羽根板を、前記基部側部片において枢軸で回動自在に枢着し、該枢軸を中心にして回動させて前記回動軸に対して倒伏させた状態に配したときの前記中間部側羽根板の直上には、各中間部側羽根板の基端縁又は長手方向に沿う一側縁が下面に接して前記枢軸を中心とする一方向の揺動を規制し、他方向の揺動を規制する鍔片を設けたことを基本的手段とする。
【０００９】
なお、鍔片を前記回動軸の外側に嵌めたリング体で構成し、該リング体をねじで回動軸に固定することにより鍔片を簡単に形成することのできる撹拌機用撹拌棒を得られる。
【考案の効果】
【００１０】
本考案によれば、回動軸の先部と中間部に液体撹拌用の羽根板を設けたものであるから、容器内の液体を複数段にして撹拌でき、従って、撹拌効率の優れた撹拌機用撹拌棒を提供できる。しかも、中間部側羽根板は回動軸の先部側の羽根板と同様に回動軸に沿わせて、つまり、回動軸に対して倒伏状態に配することのできるものであるから、液体用の口経の狭い取出口を備えた、液体容器がドラム缶のようなものであっても、羽根板の拡がり（回動軸に対しての起立）が原因によって挿入できなくなることはなく、従来例と同様の使用勝手が損なわれることのない撹拌機用撹拌棒を提供できる。
【図面の簡単な説明】
【００１１】
【図１】正面図。
【図２】図１の一部拡大図。
【図３】図２の側面図。
【図４】図３のｘ−ｘ線断面図。
【図５】回動軸の横断面図。
【図６】撹拌時の状態の正面図。
【図７】図６の一部拡大図。
【図８】使用状態を示す略示説明図。
【考案を実施するための形態】
【００１２】
図面は、本考案に係る撹拌機用撹拌棒の一実施形態を示し、実施形態の撹拌棒Ａは、先端部と中間部にそれぞれ一対のプロペラ状の羽根板２，２．３，３を取付けた丸棒状の回動軸１を備えて成り、回動軸１の後端部に取付けた接手棒４の後端部をエアモータ５（電動機でも良いが、着火し易いウレタン原料などの液体の撹拌に用いるに好適）と組合わせて撹拌機Ｂとしたものである。
【００１３】
実施形態の撹拌機Ｂは、ドラム缶（液体容器）３０内に収容した液体をトランスファーポンプ３１を装置して均一に取出す際、前記モータ５により回動軸１を回動させて、その作用により前記羽根板２，３を旋廻させて缶内の液体Ｗを撹拌させるために用いるものである。
【００１４】
前記回動軸１の先端部側の一対の羽根板２，２は、長形状の金属板をねじって形成した先部部片２ａと基部部片２ｂとで成り、互いに重ね合わせた基部部片２ｂ，２ｂを、前記回動軸１の先端部に、スリット７を形成して二又分岐状にして設けた先部部片１ａ，１ａ内に係合して枢軸６で回動軸１の先部部片１ａ，１ａに回動軸１に対して起伏自在に（揺動自在に）枢着したものである。
【００１５】
各羽根板２，２は基部部片２ｂの基端縁２ｂ´（すなわち、羽根板２の基端縁）の一半側が前記スリット７の奥壁７ａに接して前記枢軸６を中心とする一方方向への揺（回）動が規制され、基端縁２ｂ´の他半側は円弧縁状ａを成して前記一方の対する他方向の揺（回）動が許されて、一方の側縁２ｂ´´が前記奥壁７ａに接するようにして９０度の角度幅で回動変位できるようにしてある。すなわち、一対の各羽根板２，２は、互いに対称位置に配されて、撹拌時には、回動軸１に対して倒伏状態（回動軸に沿う状態）から起立状態（水平状態）に先端が互いに反対方向に向いて水平状態を保って（回動軸１の回動に伴われて）回動する。
【００１６】
そして、前記回動軸１の中間部周側に、第一平坦面８ａと該第一平坦面８ａに対して角度を持って連続する第二平坦面８ｂとから成る、一対の、縦長の羽根板係合部８，８を相対設し、該羽根板係合部８，８の、前記第一平坦面８ａの上部に前記羽根板３を揺（回）動自在に枢着してある。
【００１７】
羽根板３は、回動軸１の先端側に取付けた前記羽根板２と同様に、長形状の金属板をねじって形成した先部部片３ａと基部部片３ｂとで成り、先部部片３ａと基部部片３ｂのねじれ角度が、前記第一、第二の平坦面８ａ，８ｂが成す角度とほぼ一致するプロペラ状を成すもので、基部部片３ｂを前記第一平坦面８ａの表面に重なり合うように枢軸９（実施形態では先端にナットを螺合したボルト）で揺動自在に取付けてある。
【００１８】
これら中間部側の羽根板３，３を枢軸９を中心に回転させて鉛直方向（回動軸１の長手方向に沿わせて）に配したときの該羽根板３，３の直上には、回動軸１の外側に嵌め込むようにして鍔片を構成する規制リング１０をねじ１１で止着し、該規制リング１０の下面１０ａを、前記スリット７の奥壁７ａと同様に羽根板３の揺動を規制する規制縁として機能させ、羽根板３を枢軸９を中心に鉛直方向から水平方向へと、ほぼ９０度の角度を変位できる位置関係に配してある。
【００１９】
すなわち、回動軸１の中間部の各羽根板３，３は、部片３ｂの縁部３ｂ´（すなわち、羽根板３の基端縁）の一半側の前記規制リング１０の下面１０ａに接して前記枢軸９を中心とする一方方向への揺（回）動が規制され、基端縁３ｂ´の他半側は円弧縁状ｂを成して前記一方の対する他方向の揺（回）動が許されて側縁３ｂ´´が前記下面１０ａに接するようにして９０度の角度幅で変位できるようにしてある。
【００２０】
すなわち、先端部側羽根板２，２と同様に、一対の各中間部側羽根板３，３は、互いに対称位置に配されて回動軸１に沿った状態（鉛直状態）から回動軸１に対して交叉した状態（水平状態）位置にほぼ９０度の幅で変位し、タンク３０内の液体の撹拌時には、先端が互いに反対方向に向いて水平状態を保って回動軸１に伴われて回動し、撹拌操作を行う。
【００２１】
なお、中間部側羽根板３，３の枢軸９を中心とする揺動（回動）を規制する鍔片は、実施態様では、撹拌棒の組立ての作業性を考慮して規制リング１０をねじ１１で回動軸１に固定するようにしているが、要は、羽根板３の基端部部片３ｂの基端縁３ｂ´又は側縁３ｂ´´が接して動きを規制するものがあれば良く、例えば、回動軸１に大径部を鍔状に設けたり、鍔片を溶接するようにして設けても良い。
【００２２】
そして、外から力を付与しない状態のときには、先部側羽根板２，２が基部部片２ｂ,２ｂがスリット７内に係合して重なり合って、回動軸１の長手方向に沿って配され、中間部側羽根板３，３は、基部部片３ｂが羽根板係合部８の第一平坦面８ａの表面に重なり合って先部側羽根板２と同様に回動軸１の長手方向に沿って配され、鍔片１０の径内（鍔片１０投影内）に存して、ドラム缶３０の取出口を通じて該鍔片１０と同様に取出口を通じてドラム缶３０内に挿入できるようになっている。
【００２３】
そして、ドラム缶３０内に撹拌棒Ａを挿入して接手棒４を介して装置したエアモータ５を作動させると、回動軸１は回動し、回動に伴って各羽根板２，３に遠心力が働いて、回動軸１に対して起立し、すなわち、水平（横）方向に突出し、回動し、ドラム缶３０内の液体の撹拌操作を行うことができるのである。
【符号の説明】
【００２４】
１        回動軸
２        先部側羽根板
３        中間部側羽根板
３ａ      先部部片
３ｂ      基部部片
８        羽根係合部
８ａ      第一平坦面
８ｂ      第二平坦面
９        枢軸
【図１】
0003166999.tif 000003
【図２】
0003166999.tif 000004
【図３】
0003166999.tif 000005
【図４】
0003166999.tif 000006
【図５】
0003166999.tif 000007
【図６】
0003166999.tif 000008
【図７】
0003166999.tif 000009
【図８】
0003166999.tif 000010